(57)【要約】      （修正有）【課題】中継器を含めた意味での送信機から無線信号を受け、その内容であるメッセージを文字、記号等を用いて表示して告知させるとともに時刻を見る時計、加えて指定時刻の到来を告知するアラーム機能を備えた携帯型受信器の提供。【解決手段】携帯型受信器はマイコンチップを内蔵した携帯可能なケーシング１を有し、そのケーシング１には無線信号の受信アンテナ、透明カバー６で覆われた液晶表示部５、透明カバー６で覆われ、信号受信時に発光する高輝度ＬＥＤ１３、パワースイッチ及びパワースイッチに兼用させるモード切替スイッチ、信号受信時に鳴動するブザーないしはバイブレーター、加えて電源を少なくとも有していることとする。【選択図】図１
2006325723.tif 000002
【特許請求の範囲】
【請求項１】
マイコンチップを内蔵した携帯可能なケーシングを有し、そのケーシングには無線信号の受信アンテナ、透明カバーで覆われた液晶表示部、透明カバーで覆われ、信号受信時に発光する高輝度ＬＥＤ、パワースイッチ及びパワースイッチに兼用させるモード切替スイッチ、信号受信時に鳴動するブザーないしはバイブレーター、加えて電源を少なくとも有していることを特徴とする携帯型受信器。
【請求項２】
前記したモードは発光、文字表示の二要素に加えて音もしくは振動が採択できることを特徴とした請求項１に記載の携帯型受信器。
【請求項３】
前記したケーシングの一部には電源容量の確認スイッチに加え、時間表示スイッチ及びアラームスイッチを並設して備えていることを特徴とする請求項１または請求項２に記載の携帯型受信器。
【請求項４】
前記したケーシングの一部には電源容量の確認用のＬＥＤが備えられていることを特徴とする請求項１、請求項２または請求項３に記載の携帯型受信器。
【請求項５】
前記した電源は電池及びＡＣアダプタによる電力供給が用いられることを特徴とする請求項１、請求項２、請求項３または請求項４に記載の携帯型受信器。
【発明の詳細な説明】
【技術分野】
【０００１】
本発明は携帯型受信器、特に中継器を含めた意味での送信機から無線信号を受け、その内容であるメッセージを文字、記号等を用いて表示して告知させるとともに時刻を見る時計、加えて指定時刻の到来を告知するアラーム機能を備えた携帯型受信器に関する。
【背景技術】
【０００２】
従前、出願人は主として聴覚障害者を対象とし、その聴覚障害者が補聴器を外していることの多い屋内にあってドアチャイムや電話の呼び出し音等を認知することができなくなってしまう状態を補助するため、前記した機器から発せられる音声を、中継器を介し、無線信号として発信し、聴覚障害者が装着している受信器へ送り、知らしめるシステムを開発した。
【０００３】
この従前の受信器は腕時計タイプのものとされ、受信があると、振動や発光等の手段により、それを知らせ、受信信号の内容を文字や記号を用いて表示するという方式を採っている。
【０００４】
しかしながら、近時になって使用者から腕時計タイプの受信器は袖口に引っ掛かったり、袖口で隠れて見にくかったり、一々装着したり取り外すことが煩わしく、又皮膚に密着することでこの皮膚に炎症を起こすこともあり、既に腕時計をしており両腕に時計をつけることを嫌う等のことからポケットに収納できるタイプの受信器の要望が出てきた。
【特許文献１】出願人側で先行する技術文献の調査を行なったが、本発明に格別に関連すると思われる文献は発見することができなかった。
【発明の開示】
【発明が解決しようとする課題】
【０００５】
本発明が解決しようとする問題点は、従来、特に屋内における音声、光、電気的信号を介して情報を知らせる機器装置にあって、その発信を知らしめる受信器に、個人使用を目的とし、ポケットに収納することができるコンパクトな携帯型としたものはなかったという点であり、かかる受信器に時計機能をも保有させたものはなかったという点である。
【課題を解決するための手段】
【０００６】
上記した問題点を解決するために、本発明に係る携帯型受信器はマイコンチップを内蔵した携帯可能なケーシングを有し、そのケーシングには無線信号の受信アンテナ、透明カバーで覆われた液晶表示部、透明カバーで覆われ、信号受信時に発光する高輝度ＬＥＤ、パワースイッチ及びパワースイッチに兼用させるモード切替スイッチ、信号受信時に鳴動するブザーないしはバイブレーター、加えて電源を少なくとも有していることを特徴とし、前記したモードは発光、文字表示の二要素に加えて音もしくは振動が採択できることを特徴とし、前記したケーシングの一部には電源容量の確認スイッチに加え、時間表示スイッチ及びアラームスイッチを並設して備えていることを特徴とし、前記したケーシングの一部には電源容量の確認用のＬＥＤが備えられていることを特徴とし、前記した電源は電池及びＡＣアダプタによる電力供給が用いられることを特徴としている。
【発明の効果】
【０００７】
本発明に係る携帯型受信器は上記のように構成されている。そのため、受信器本体はポケット等に収納して携行することができ、着信があった時には振動や高輝度のＬＥＤが発光（フラッシュ）し、さらに文字あるいは記号によるメッセージが表示されることとなる。また、常時は時計として使用することができ、時刻の確認に加え設定時間の到来（経過）をアラームで知らせることもできるので目覚しとしても機能する。
【０００８】
上記の効果によって、従前は主として聴覚障害者を対象としたシステム自体の利用が、騒音場所等における健常者にも幅広く使用対象が広げられ、その応用用途も幅広くすることが可能なものとなり、その使用勝手も非常に良好なものとなるのである。
【発明を実施するための最良の形態】
【０００９】
図面に示す実施例のように構成することで実現した。
【実施例１】
【００１０】
次に、本発明の好ましい実施の一例を図面を参照して説明する。図１は本発明を実施した携帯型受信器を示す正面図、図２は同じく背面図、図３は同じく平面図、図４は同じく左側面図、図５は同じく右側面図、図６は同じくブロック回路図である。
【００１１】
これらの図にあって１はＡＢＳ樹脂で成形されたケーシングであり、このケーシング１は前側と後側を合わせ係合連結することで一体化される。このケーシング１内には種々の動作や機能を制御するマイコンチップ２が内蔵され、このマイコンチップ２にはＡＩチップ３により波形整形された信号が入力される。ＡＩチップ３には電気的に、ケーシング１内に内蔵される受信アンテナ４と接続され、受信された信号はまず高周波増幅され、フィルターを通され、周波数調整回路からの信号とミキシングされて中間波増幅され、再びフィルターを通して入力される。ＡＩチップ３は原則的に中間波制御を行ない低周波域を濾過して、前記の波形整形を行なう。
【００１２】
また、マイコンチップ２には液晶表示部５がドライバ５ａを介して接続されている。この液晶表示部５はケーシング１に形成された窓孔と対応され、その窓孔の周囲には色彩シートを配し、その色彩シート上に透明カバー６を装備している。
【００１３】
さらに、図中７は本実施例での電源となるバッテリーであり、単４アルカリ電池一本が想定されている。このバッテリー７は電池ボックスの蓋体８をスライドして開口させ収納することができる。また、このバッテリー７に代え、専用アダプタを用い、電源ジャック９からＡＣ電力を供給することもできるようになっている。
【００１４】
電源スイッチ１０はケーシング１の左側面に備えられたスライドスイッチとなっており、この電源スイッチ１０をさらにスライドさせることで受信時におけるモード、即ち、前記した液晶表示部５へのメッセージの文字表示及び後述する高輝度ＬＥＤによる発光（フラッシュ）に加え、振動モータ１１による振動あるいはブザー１２による鳴動の組み合わせを選び設定することができる。また、電源スイッチ１０が入力されると液晶表示部５のそばに配備された電源用ＬＥＤ１３が点滅する。この点滅がない時はバッテリーの寿命で交換が必要となる。
【００１５】
また、図中１４はケーシング１の正面に形成されているスクリーンであり、透明のカバーで覆われており、内部には高輝度のＬＥＤ１５が本実施例にあっては６個設けられており、受信があった時にフラッシュ発光して告知することとなる。
【００１６】
さらに、ケーシング１の長手方向に沿った側面には電池ボタン１６、時間ボタン１７及びアラームボタン１８の三つのタクトスイッチが並列して備えられている。ここで、電池ボタン１６はバッテリー交換時期の目安がわかるもので、入力しても光、振動または光、音が出なければ交換となる。また、暗所で液晶表示部５の両端のライトでその液晶表示部５の確認が行なえる。
【００１７】
時間ボタン１７は時刻合わせをする時に２秒間押し続ける。また、時間を進めることができ、アラームを止める時には長押しを行なう。アラームボタン１８はアラームの設定変更を行なう時に、このボタンを２秒間押し続ける。また、分を進めることができる。
【００１８】
また、前記した液晶表示部５はメッセージの文字表示のほか、時計機能として時刻を表示する（時、分）。この液晶表示部５に時刻を常時表示するには時間ボタン１７とアラームボタン１８を同時に２秒以上押し続けることによりなされる。解除する時も２秒以上の長押しとなり、表示が消えたら完了となる。また、非表示状態で時刻を知りたい時は時間ボタン１７かアラームボタン１８を押すと表示され、１０秒後に消滅する。時刻を合わせたい時は時間ボタン１７を２秒以上押し、時間と分の間のコロンがａ（午前）、ｐ（午後）となり時刻を示す数字が点滅するので、前記した要領で作業を行なう。
【００１９】
さらに、アラームを設定するにはアラームボタン１８を押し続け、時間と分の間のコロンが前記したａ、ｐとなり、その時間の合わせ方は上記と同様であるが、セットしたら１０秒間待ち、ＯＮｏｆｆまたはｏｎＯＦＦと表示され文字が大文字で点滅している方が有効となる。このアラーム設定は毎日有効となり、これを止めるには時間ボタン１７を押し続け、前記設定の動作を行なう。
【００２０】
また、バッテリーの容量確認について、電池ボタン１６による場合は勿論、時刻の非表示状態にあって液晶表示部５の表示が消える際に「デンチ×」が出、常時表示状態ではアラームボタン１８を押した際に「デンチ×」の表示が出ることでも確認できる。
【００２１】
そして、本発明の実施例にあっては使用する電波を４２６ＭＨｚ帯を想定しており、比較的長距離における送信にも対応することができ、より汎用性の高い製品としている。
【００２２】
さらに、図中２０はテーパ底面を形成したストラップの挿通孔であり、受信器本体に好みのストラップを取り付け使用することも可能としている。
【図面の簡単な説明】
【００２３】
【図１】本発明を実施した携帯型受信器を示す正面図である。
【図２】背面図である。
【図３】平面図である。
【図４】左側面図である。
【図５】右側面図である。
【図６】ブロック回路図である。
【符号の説明】
【００２４】
１    ケーシング
２    マイコンチップ
３    ＡＩチップ
４    受信アンテナ
５    液晶表示部
６    透明カバー
７    バッテリー
８    蓋体
９    電源ジャック
１０  電源スイッチ（モード切替スイッチ）
１１  振動モータ
１２  ブザー
１３  電源用ＬＥＤ
１４  スクリーン
１５  高輝度のＬＥＤ
１６  電池ボタン
１７  時間ボタン
１８  アラームボタン
２０  ストラップの挿通孔
【図１】
2006325723.tif 000003
【図２】
2006325723.tif 000004
【図３】
2006325723.tif 000005
【図４】
2006325723.tif 000006
【図５】
2006325723.tif 000007
【図６】
2006325723.tif 000008